(57)【要約】【課題】アナログテレビジョン放送信号受信装置において、放送信号の受信レベルを正確に算出可能な範囲を拡げる。【解決手段】アナログテレビジョン放送信号受信装置は、受信した放送信号の振幅が一定となるように放送信号の利得を自動調整するＡＧＣアンプと、マイコンとを備える。ＡＧＣアンプは、調整された利得に応じたＡＧＣ電圧を出力する。マイコンは、このＡＧＣ電圧が閾値未満のときには（Ｓ１でＹｅｓ）、ＡＧＣ電圧を基に受信レベルを算出し（Ｓ３）、ＡＧＣ電圧が閾値以上のときには（Ｓ１でＮｏ）、放送信号に含まれるカラーバー映像信号のＳ／Ｎ比を基に受信レベルを算出する（Ｓ５）。これにより、受信レベルが低下して利得が飽和し、利得から受信レベルを正確に算出することができないときであっても、上記Ｓ／Ｎ比から受信レベルを算出することができるので、受信レベルを正確に算出することができる。【選択図】図３
2012034116.tif 000002
【特許請求の範囲】
【請求項１】
アナログテレビジョン放送信号（以下、放送信号という）をアンテナを用いて受信する放送信号受信手段と、
前記放送信号受信手段により受信された放送信号の振幅が一定になるように該放送信号の利得を自動調整する自動利得調整手段と、
前記放送信号受信手段により受信される放送信号の受信レベルを算出する受信レベル算出手段と、
前記受信レベル算出手段により算出された受信レベルを表示する受信レベル表示手段と、を備えたアナログテレビジョン放送信号受信装置において、
前記放送信号受信手段により受信された放送信号から試験映像信号を取り出す試験映像信号取出し手段と、
前記試験映像信号取出し手段により取り出された試験映像信号のノイズを検出するノイズ検出手段と、
前記ノイズ検出手段により検出されたノイズと、予め記憶していた試験映像信号の基準信号とに基づいて試験映像信号のＳ／Ｎ比を算出するＳ／Ｎ比算出手段と、
前記自動利得調整手段により調整された利得が、飽和レベル以下の閾レベル未満であるか否かを判定する利得レベル判定手段と、を備え、
前記受信レベル算出手段は、
前記利得レベル判定手段による判定の結果、前記利得が閾レベル未満であるときに、該利得に基づいて、前記放送信号の受信レベルを算出し、
前記利得レベル判定手段による判定の結果、前記利得が閾レベル以上であるときに、前記Ｓ／Ｎ比算出手段により算出されたＳ／Ｎ比に基づいて、前記放送信号の受信レベルを算出することを特徴とするアナログテレビジョン放送信号受信装置。
【請求項２】
前記試験映像信号は、カラーバー映像信号であることを特徴とする請求項１に記載のアナログテレビジョン放送信号受信装置。
【請求項３】
前記ノイズ検出手段は、前記試験映像信号取出し手段により取り出された試験映像信号からノイズを抜き出すためのハイパスフィルタを有することを特徴とする請求項１又は請求項２に記載のアナログテレビジョン放送信号受信装置。
【発明の詳細な説明】
【技術分野】
【０００１】
本発明は、アナログテレビジョン放送信号を受信するアナログテレビジョン放送信号受信装置に関する。
【背景技術】
【０００２】
従来から、放送局により無線送信されるアナログテレビジョン放送信号（以下、放送信号という）をアンテナを用いて受信するアナログテレビジョン放送信号受信装置（以下、受信装置という）が知られている。この受信装置は、放送局から受信装置までの距離、天候、又は放送信号の伝搬障害物の有無等の使用環境に応じて、受信レベルが変動する。そのため、上記受信装置において、放送信号の受信レベルが低下したとしても放送番組の映像品質を良好なものに維持することが望まれていた。
【０００３】
そこで、放送信号の周波数をミキサにより中間周波数にダウンコンバートし、その中間周波数信号の振幅が受信レベルに係わらず略一定となるように放送信号の利得をＡＧＣ（Automatic Gain Control）アンプにより自動調整する受信装置が知られている（例えば、特許文献１参照）。この受信装置において、ＡＧＣアンプは、調整された利得に応じたＡＧＣ電圧を出力する。そして、このＡＧＣ電圧の対受信レベル特性が予め測定されてメモリに格納されており、マイクロコンピュータ（以下、マイコンという）により上記特性が参照されて現在のＡＧＣ電圧から現在の受信レベルが求められる。
【０００４】
ここに、上記ＡＧＣ電圧対受信レベル特性を図４に示す。同図において、縦軸はＡＧＣ電圧を示し、横軸は受信レベルを示す。この受信レベルは相対値である。受信レベルが略６０［ｄＢμＶ］以上である高受信レベルにおいては、受信レベルの変動に追従してＡＧＣ電圧がリニアに変化する。従って、現在のＡＧＣ電圧を測定すれば、現在の利得を検出することができ、その利得に応じた受信レベルを求めることができる。
【０００５】
しかしながら、受信レベルが略６０［ｄＢμＶ］未満である低受信レベルにおいては、ＡＧＣ電圧は飽和するので、受信レベルを正確に算出することは困難である。そのため、受信レベルを正確に算出することが可能な範囲を上述の低受信レベルまで拡げたいという要望があった。
【０００６】
ところで、上記ＡＧＣアンプを有するが、ＡＧＣ電圧を基に受信レベルを算出するのではなく、受信した放送信号のＣ／Ｎ比をＣ／Ｎレベル検出回路により検出し、その検出したＣ／Ｎ比を基に受信レベルを算出する受信装置が知られている（例えば、特許文献２参照）。この受信装置においては、Ｃ／Ｎ比が所定値以上である高受信レベルで、Ｃ／Ｎレベル検出回路による検出出力が回路特性に起因して飽和するとき、ノイズ発生／混合回路から放送信号にノイズが強制入力されてＣ／Ｎ比が下げられ、上記検出出力が飽和しないように制御される。これにより、高受信レベルであっても、Ｃ／Ｎレベル検出回路による検出出力の変化を基に受信レベルの変動を求めることができる。
【０００７】
また、地上波の放送信号ではなく、衛星放送信号を受信対象とし、衛星放送信号の周波数を処理に適した中間周波数に変換するコンバータを備えた受信装置が知られている（例えば、特許文献３参照）。衛星放送信号は地上波と同様に放送チャンネル毎に周波数が変わるので、上記受信装置においては、コンバータの周波数特性に起因するノイズを考慮に入れて、各放送チャンネルの受信レベルが算出される。しかしながら、特許文献２又は特許文献３に記載の受信装置においては、上記の要望を満たすことは困難であった。
【先行技術文献】
【特許文献】
【０００８】
【特許文献１】特開２００８−１０９２０８号公報
【特許文献２】特開２００４−３６３６７３号公報
【特許文献３】特開平５−８７８５５号公報
【発明の概要】
【発明が解決しようとする課題】
【０００９】
本発明は、上記の従来の問題を解決するためになされたものであり、受信したアナログテレビジョン放送信号の利得を自動調整する機能を有したアナログテレビジョン放送信号受信装置において、調整された利得を基に受信レベルを正確に算出することができない低受信レベルであっても、受信レベルを正確に算出することができるアナログテレビジョン放送信号受信装置を提供することを目的とする。
【課題を解決するための手段】
【００１０】
上記目的を達成するために請求項１の発明は、アナログテレビジョン放送信号（以下、放送信号という）をアンテナを用いて受信する放送信号受信手段と、前記放送信号受信手段により受信された放送信号の振幅が一定になるように該放送信号の利得を自動調整する自動利得調整手段と、前記放送信号受信手段により受信される放送信号の受信レベルを算出する受信レベル算出手段と、前記受信レベル算出手段により算出された受信レベルを表示する受信レベル表示手段と、を備えたアナログテレビジョン放送信号受信装置において、前記放送信号受信手段により受信された放送信号から試験映像信号を取り出す試験映像信号取出し手段と、前記試験映像信号取出し手段により取り出された試験映像信号のノイズを検出するノイズ検出手段と、前記ノイズ検出手段により検出されたノイズと、予め記憶していた試験映像信号の基準信号とに基づいて試験映像信号のＳ／Ｎ比を算出するＳ／Ｎ比算出手段と、前記自動利得調整手段により調整された利得が、飽和レベル以下の閾レベル未満であるか否かを判定する利得レベル判定手段と、を備え、前記受信レベル算出手段は、前記利得レベル判定手段による判定の結果、前記利得が閾レベル未満であるときに、該利得に基づいて、前記放送信号の受信レベルを算出し、前記利得レベル判定手段による判定の結果、前記利得が閾レベル以上であるときに、前記Ｓ／Ｎ比算出手段により算出されたＳ／Ｎ比に基づいて、前記放送信号の受信レベルを算出するものである。
【００１１】
請求項２の発明は、請求項１に記載のアナログテレビジョン放送信号受信装置において、前記試験映像信号は、カラーバー映像信号である。
【００１２】
請求項３の発明は、請求項１又は請求項２に記載のアナログテレビジョン放送信号受信装置において、前記ノイズ検出手段は、前記試験映像信号取出し手段により取り出された試験映像信号からノイズを抜き出すためのハイパスフィルタを有するものである。
【発明の効果】
【００１３】
請求項１の発明によれば、調整された放送信号の利得が飽和することにより、利得から放送信号の受信レベルを正確に算出することができない低受信レベルであっても、放送信号に含まれる試験映像信号のＳ／Ｎ比に基づいて受信レベルが算出されるので、受信レベルを正確に算出することができる。
【図面の簡単な説明】
【００１４】
【図１】本発明の一実施形態に係るアナログテレビジョン放送信号受信装置の電気的ブロック図。
【図２】（ａ）はアナログテレビジョン放送信号に含まれるカラーバー映像信号の基準信号波形図、（ｂ）はノイズを含むカラーバー映像信号の波形図。
【図３】上記装置における放送信号の受信レベル表示処理のフローチャート。
【図４】従来のテレビジョン放送信号受信装置に搭載されたＡＧＣアンプのＡＧＣ電圧対受信レベル特性図。
【発明を実施するための形態】
【００１５】
以下、本発明の一実施形態に係るアナログテレビジョン放送信号受信装置（以下、受信装置という）について図面を参照して説明する。図１は、本実施形態の受信装置の構成を示す。この受信装置１は、アナログテレビジョン放送信号（以下、放送信号という）をアンテナ２を用いて受信するチューナ３（放送信号受信手段）と、チューナ３により受信される放送信号の受信レベルを算出するマイクロコンピュータ（以下、マイコンという）４（受信レベル算出手段）と、マイコン４により算出された受信レベルを表示する映像表示回路５（受信レベル表示手段）とを備える。上記受信レベルは、チューナ３が放送信号を受信するレベル、又は、アンテナ２がアンテナ２により受信された放送信号をチューナ３に出力するレベルを示し、所定の絶対レベルに対する相対レベルである。
【００１６】
また、受信装置１は、チューナ３により受信された放送信号の利得を自動調整するＡＧＣ（Automatic Gain Control）アンプ６（自動利得調整手段）と、ＡＧＣアンプ６により利得を調整された放送信号から映像信号を検波する映像検波回路７と、映像検波回路７により検波された映像信号から試験映像信号、すなわち、カラーバー映像信号を取り出す試験映像信号取出し回路（以下、信号取出し回路という）８（試験映像信号取出し手段）と、信号取出し回路８により取り出されたカラーバー映像信号のノイズを検出するためのＨＰＦ（ハイパスフィルタ）９（ノイズ検出手段）と、ＨＰＦ９により検出されたノイズを基に放送信号のＳ／Ｎ比を算出するＳ／Ｎ比算出回路１０（Ｓ／Ｎ比算出手段）と、映像検波回路７から信号取出し回路８への映像信号入力を入り切りするスイッチ回路１１とをさらに備える。マイコン４（利得レベル判定手段）は、ＡＧＣアンプ６により調整された利得が閾レベル未満であるか否かを判定し、その判定の結果、上記利得が閾レベル未満であれば、その利得に基づいて受信レベルを算出し、上記利得が閾レベル以上であれば、Ｓ／Ｎ比算出回路１０により算出されたＳ／Ｎ比に基づいて受信レベルを算出する。ＡＧＣアンプ６は、上記利得に応じたＡＧＣ電圧をマイコン４に出力する。
【００１７】
また、受信装置１は、映像検波回路７により検波された映像信号を復調する復調回路１２をさらに備える。映像表示回路５は、復調回路１２により復調された映像信号に基づく映像を表示する。不図示であるが、受信装置１は、チューナ３により受信された放送信号から音声信号を検波し、その検波した音声信号を復調し、その復調した音声信号に基づく音声をスピーカから出力する構成を有する。
【００１８】
チューナ３は、放送信号の周波数を映像中間周波数にダウンコンバートするミキサ機能を有する。チューナ３により受信される放送信号は、放送局から直接送信されたアナログ方式の放送信号であってもよいし、放送局から送信されたディジタル方式のテレビジョン放送信号がアナログ方式に変換された放送信号であってもよい。上記放送局には、ＣＡＴＶ（Common Antenna TeleVision／Community Antenna TeleVision）局が含まれる。
【００１９】
マイコン４は、上記ＡＧＣ電圧を測定し、そのＡＧＣ電圧が、上記利得の閾レベルに対応する閾値未満であるか否かを判定することにより、上記利得が閾レベル未満であるか否かを判定する。マイコン４は、上記利得が閾レベル未満であると判定したとき、スイッチ回路１１を切状態にし、上記利得が閾レベル以上であると判定したとき、スイッチ回路１１を入状態にする。マイコン４は、チューナ３により受信される放送信号の選局制御と、映像表示回路５の表示制御とを行う。
【００２０】
映像表示回路５は、受信レベル、放送番組等の映像を表示するためのディスプレイと、マイコン４により制御されて上記ディスプレイを駆動する駆動回路を有する。上記ディスプレイは、液晶ディスプレイ、有機ＥＬディスプレイ、ＦＬ（Fluorescent）ディスプレイ等により構成される。
【００２１】
ＡＧＣアンプ６は、チューナ３のミキサ機能によりダウンコンバートされた映像中間周波数信号の振幅が略一定になるように放送信号の利得を自動調整する。ＡＧＣアンプ６は、上記図４に示したＡＧＣ電圧対受信レベル特性を有する。受信レベルが低下し、略６０［ｄＢμＶ］以下になると、ＡＧＣ電圧は飽和する。この飽和ＡＧＣ電圧に対応する飽和利得レベル以下の利得レベルが上記閾レベルに予め設定されている。
【００２２】
信号取出し回路８は、映像検波回路７により検波された映像信号を、スイッチ回路１１とＡ／Ｄ変換器１３とを介して受け取り、その映像信号の垂直帰線期間内の所定ラインを検出し、その所定ラインに含まれるカラーバー映像信号を取得する。信号取出し回路８は、この取得したカラーバー映像信号をＤ／Ａ変換器１４を通してＤ／Ａ変換し、ＨＰＦ９に送出する。
【００２３】
ＨＰＦ９は、信号取出し回路８により送出されたカラーバー映像信号から高周波ノイズを抜き出す。ＨＰＦ９の遮断周波数は、抜き出し対象の高周波ノイズの最低周波数以下に予め設定されている。
【００２４】
Ｓ／Ｎ比算出回路１０は、ノイズを含まないカラーバー映像信号の基準信号を予め記憶させたメモリを有する。Ｓ／Ｎ比算出回路１０は、上記基準信号の値と、ＨＰＦ９により抜き出されたノイズの値のそれぞれを二乗して積分し、各積分値を基にカラーバー映像信号のＳ／Ｎ比を算出し、この算出したＳ／Ｎ比を放送信号全体のＳ／Ｎ比とみなし、このＳ／Ｎ比情報をＡ／Ｄ変換器１５を経由してマイコン４に入力する。上記Ｓ／Ｎ比算出処理によりノイズが定量化される。
【００２５】
図２（ａ）（ｂ）は、カラーバー映像信号の基準信号波形と、ノイズを含んだカラーバー映像信号波形の一例とを示す。図２（ａ）に示されるように、カラーバー映像信号は、輝度信号と色信号とを合成した映像信号である。この映像信号のフロント側及びバック側（図中左右）にはそれぞれ水平同期信号が挿入され、さらに、フロント側には色同期信号が設けられている。上記色同期信号及び上記水平同期信号は、いずれか一方だけが又は両方がカラーバー映像信号に含まれるとみなしてもよいし、両方とも含まれないとみなしてもよい。図２（ｂ）に示されるように、カラーバー映像信号に乗るノイズの多くは高周波であり、ノイズを含んだカラーバー映像信号はその色信号の振幅が基準信号のそれよりも増減し、乱れる。
【００２６】
図３は、マイコン４による受信レベル表示処理の手順を示す。ここに、上記ＡＧＣ電圧の閾値を例えば５［Ｖ］とする。マイコン４は、ＡＧＣ電圧が５［Ｖ］未満である（利得が閾レベル未満）と判定したとき（Ｓ１でＹｅｓ）、スイッチ回路１１を切状態にして（Ｓ２）、Ｓ／Ｎ比算出回路１０からのＳ／Ｎ比情報入力を遮断し、上記ＡＧＣ電圧の値を基に受信レベルを算出する（Ｓ３）。この算出方法は、従来と同じである。
【００２７】
マイコン４は、ＡＧＣ電圧が５［Ｖ］以上である（利得が閾レベル以上）と判定したとき（Ｓ１でＮｏ）、スイッチ回路１１を入状態にして（Ｓ４）、Ｓ／Ｎ比算出回路１０からＳ／Ｎ比情報を取得し、そのＳ／Ｎ比を基に受信レベルを算出する（Ｓ５）。上記Ｓ３又はＳ５の処理により受信レベルが算出された後、マイコン４は、算出された受信レベルを映像表示回路５のディスプレイに表示させる（Ｓ６）。
【００２８】
上記のように構成された受信装置１においては、調整された放送信号の利得が飽和することにより、利得から放送信号の受信レベルを正確に算出することができない低受信レベルであっても、放送信号に含まれるカラーバー映像信号のＳ／Ｎ比に基づいて受信レベルが算出されるので、受信レベルを正確に算出することができる。従って、受信レベルを正確に算出することが可能な範囲を拡げることができる。そのため、レベル表示してユーザに通知することが可能な受信レベルの範囲を拡大することができる。
【００２９】
また、放送信号の利得が閾レベル以上になるときだけ、スイッチ回路１１が入状態にされ、Ａ／Ｄ変換器１３、信号取出し回路８、Ｄ／Ａ変換器１４、ＨＰＦ９、Ｓ／Ｎ比算出回路１０、及びＡ／Ｄ変換器１５のそれぞれにより所定の処理が実行されるので、消費電力を抑えることができる。また、簡単な構成によりカラーバー映像信号からノイズを検出することができ、製造コストの低減を図ることができる。
【００３０】
なお、本発明は、上記実施形態の構成に限定されるものでなく、使用目的に応じ、様々な変形が可能である。例えば、チューナ３は、放送局から有線で配信された放送信号を受信可能に構成されていてもよい。また、チューナ３により受信される放送信号の映像中間周波数の振幅を測定する回路を設け、その回路により測定された振幅が閾レベル未満であるか否かをマイコン４により判定し、その判定結果に応じて上記利得又は上記Ｓ／Ｎ比に基づいて受信レベルを算出しても構わない。
【符号の説明】
【００３１】
１  アナログテレビジョン放送信号受信装置
２  アンテナ
３  チューナ
４  マイコン（受信レベル算出手段、利得レベル判定手段）
５  映像表示回路（受信レベル表示手段）
６  ＡＧＣアンプ（自動利得調整手段）
８  試験映像信号取出し回路（試験映像信号取出し手段）
９  ＨＰＦ（ノイズ検出手段）
１０  Ｓ／Ｎ比算出回路（Ｓ／Ｎ比算出手段）
【図１】
2012034116.tif 000003
【図２】
2012034116.tif 000004
【図３】
2012034116.tif 000005
【図４】
2012034116.tif 000006